(57)【特許請求の範囲】
【請求項１】
電線の長手方向中間部分を収容可能な本体部と、
前記本体部の端部に設けられ、前記電線と共にバンド部に巻回されることで、前記電線を固定可能な固定部と、
前記本体部のうち前記固定部が設けられている端部に設けられ、前記バンド部を前記固定部の径方向外側にガイド可能となるように、その内周面が前記電線の周方向の少なくとも一部に沿うように曲がった態様で形成された外側ガイド部と、
を備え、
前記外側ガイド部よりも径方向内側で前記外側ガイド部と対向するように設けられた内側ガイド部をさらに備え、
ある１つの方向から見て、前記固定部と前記外側ガイド部とが離れた位置に形成されていると共に、
前記１つの方向から見て前記内側ガイド部と前記外側ガイド部とが重なっている部分において、前記内側ガイド部に前記電線の周方向に沿った間隙が設けられるとともに、前記外側ガイド部のうち前記間隙に対向する部分の幅寸法が前記間隙の幅以下に設定されている、プロテクタ。
【請求項２】
請求項１に記載のプロテクタであって、
前記外側ガイド部が周方向に４分の１周分形成されている、プロテクタ。
【請求項３】
少なくとも１本の電線と、
請求項１又は請求項２に記載のプロテクタと、
バンド部と前記バンド部の一方側端部に連なると共に前記バンド部の他方側端部を固定可能なバンド固定部とを含み、前記バンド部を前記プロテクタの固定部と前記電線との周囲に巻回した状態で前記バンド固定部に固定することで、前記プロテクタに対して前記電線を固定可能な結束部材と、
を備える、電線モジュール。
【発明の詳細な説明】
【技術分野】
【０００１】
この発明は、車両に配設される電線に外装されるプロテクタに関する。
【背景技術】
【０００２】
車両に配設される電線に外装されるプロテクタが、例えば、特許文献１又は特許文献２に開示されている。
【０００３】
特許文献１に記載の結束具は、プロテクタのハーネス固定用リブの一側部にプロテク側に開放口を有する断面コ字状のバンド固定部材を設けることで、電線の長手方向に対するバンドクランプの移動を規制するものである。
【０００４】
特許文献２に記載のプロテクタへのバンドクランプの係止構造は、プロテクタの端部に設けられた挿通孔にバンドクランプを係止させる際に、前記挿通孔に、前記バンドクランプの移動を規制する移動規制手段を設けたことを特徴とするとされている。
【先行技術文献】
【特許文献】
【０００５】
【特許文献１】特開平７−６７２２９号公報
【特許文献２】特開平７−９５７１４号公報
【発明の概要】
【発明が解決しようとする課題】
【０００６】
しかしながら、特許文献１に記載の結束具では、バンドを固定後にバンドを固定部材へ固定するのが面倒である恐れがあった。また、特許文献２に記載のプロテクタへのバンドクランプの係止構造では、挿通孔が一直線状に設けられているため、挿通孔に通したバンドを電線の周囲に巻回する作業が面倒である恐れがあった。
【０００７】
そこで、本発明は、バンドを電線の周囲に容易に巻回し固定できるようにする技術を提供することを目的とする。
【課題を解決するための手段】
【０００８】
上記課題を解決するため、第１の態様に係るプロテクタは、電線の長手方向中間部分を収容可能な本体部と、前記本体部の端部に設けられ、前記電線と共にバンド部に巻回されることで、前記電線を固定可能な固定部と、前記本体部のうち前記固定部が設けられている端部に設けられ、前記バンド部を前記固定部の径方向外側にガイド可能となるように、その内周面が前記電線の周方向の少なくとも一部に沿うように曲がった態様で形成された外側ガイド部と、を備える。
【０００９】
また第１の態様に係るプロテクタは、前記外側ガイド部よりも径方向内側で前記外側ガイド部と対向するように設けられた内側ガイド部をさらに備える。
【００１０】
また第１の態様に係るプロテクタにおいて、ある１つの方向から見て、前記固定部と前記外側ガイド部とが離れた位置に形成されていると共に、前記１つの方向から見て前記内側ガイド部と前記外側ガイド部とが重なっている部分において、前記内側ガイド部に前記電線の周方向に沿った間隙が設けられるとともに、前記外側ガイド部のうち前記間隙に対向する部分の幅寸法が前記間隙の幅以下に設定されている。
【００１１】
第２の態様に係るプロテクタは、第１の態様に係るプロテクタであって、前記外側ガイド部が周方向に４分の１周分形成されている。
【００１２】
第３の態様に係る電線モジュールは、少なくとも１本の電線と、第１又は第２の態様に係るプロテクタと、バンド部と前記バンド部の一方側端部に連なると共に前記バンド部の他方側端部を固定可能なバンド固定部とを含み、前記バンド部を前記プロテクタの固定部と前記電線との周囲に巻回した状態で前記バンド固定部に固定することで、前記プロテクタに対して前記電線を固定可能な結束部材と、を備える。
【発明の効果】
【００１３】
第１又は第２の態様に係るプロテクタによると、本体部のうち固定部が設けられている端部に設けられ、バンド部を固定部の径方向外側にガイド可能となるように、その内周面が電線の周方向の少なくとも一部に沿うように曲がった態様で形成された外側ガイド部を備えるため、バンド部を外側ガイド部の内周面に沿わせて巻回することによって、バンド部を電線の周囲に容易に巻回し固定できる。
【００１４】
また第１又は第２の態様に係るプロテクタによると、外側ガイド部よりも径方向内側で外側ガイド部と対向するように設けられた内側ガイド部をさらに備えるため、バンド部の先端が外側ガイド部と内側ガイド部との間に入った際に、バンド部が径方向に動きにくくなることによってバンド部の周方向の動きが安定し、バンド部を電線の周囲に容易に巻回できる。
【００１５】
また第１又は第２の態様に係るプロテクタによると、ある１つの方向から見て、固定部と外側ガイド部とが離れた位置に形成されていると共に、当該１つの方向から見て内側ガイド部と外側ガイド部とが重なっている部分において、内側ガイド部に電線の周方向に沿った間隙が設けられるとともに、外側ガイド部の間隙に対向する部分の幅寸法が間隙の幅以下に設定されているため、金型を用いてプロテクタを製造する際に、１対の金型を一方と他方とに抜くことで製造可能になることによって、プロテクタの製造が容易となる。
【００１６】
特に、第２の態様に係るプロテクタによると、外側ガイド部が周方向に４分の１周分形成されているため、バンド部を外側ガイド部に沿わせることで、自動的に、電線に対して４分の１周巻くことができることによって、バンド部を電線の周囲に容易に巻回できる。
【００１７】
第３の態様に係る電線モジュールによると、プロテクタの本体部のうち固定部が設けられている端部に設けられ、バンド部を固定部の径方向外側にガイド可能となるように、その内周面が電線の周方向の少なくとも一部に沿うように曲がった態様で形成された外側ガイド部を備えるため、バンド部を外側ガイド部の内周面に沿わせて巻回することによって、バンド部を電線の周囲に容易に巻回できる。
【図面の簡単な説明】
【００１８】
【図１】実施形態に係る電線モジュールを示す斜視図である。
【図２】実施形態に係る電線モジュールを示す平面図である。
【図３】プロテクタの端部近傍を示す部分拡大平面図である。
【図４】図３のＩＶ−ＩＶ線に沿って切断した概略断面図である。
【図５】図３のＶ−Ｖ線に沿って切断した概略断面図である。
【発明を実施するための形態】
【００１９】
以下、実施形態に係る電線モジュール１０及びプロテクタ２０について説明する。図１は、実施形態に係る電線モジュール１０を示す斜視図である。図２は、実施形態に係る電線モジュール１０を示す平面図である。図３は、プロテクタ２０の端部近傍を示す部分拡大平面図である。なお、図３における砂地のハッチング箇所は、部材が何もなく貫通している孔部分が容易に認識できるように施されている。図４は、図３のＩＶ−ＩＶ線に沿って切断した概略断面図である。図５は、図３のＶ−Ｖ線に沿って切断した概略断面図である。なお、本明細書中において正面視とは、図４及び図５のような位置、つまり、プロテクタ２０の端部から延びる電線１２の延在方向から見るものとする。
【００２０】
実施形態に係る電線モジュール１０は、電線１２と、結束部材６０と、プロテクタ２０とを備える。
【００２１】
電線１２は、少なくとも１本含まれていればよい。電線１２は、その中間部分がプロテクタ２０の本体部２２に収容されている。電線１２は、芯線の外周に樹脂が押出被覆等されることで被覆部が形成された構成とされている。ここでは、複数の電線１２が束ねられた電線束の例で説明する。なお、電線束には、光ファイバ等が電線１２に沿って配設されていてもよい。電線１２は、車両等の配設対象箇所に配設された状態で、車両等に搭載された各種電気機器同士を電気的に接続するものとして用いられる。なお、図１〜図５では、電線束の概形が描かれている。
【００２２】
結束部材６０は、バンド部６２とバンド固定部６４とを含む。結束部材６０は、プロテクタ２０に対して電線１２を固定するための部材である。より詳細には、結束部材６０は、バンド部６２を後述するプロテクタ２０の固定部３０と電線１２との周囲に巻回した状態でバンド固定部６４に固定することで、プロテクタ２０に対して電線１２を固定可能である。
【００２３】
バンド部６２は、巻付け対象となる電線１２の外周長よりも長い細帯状に形成されている。ここでは、バンド部６２は電線１２の周囲に巻回される前は、ほぼ直線状に延在するように形成されている。
【００２４】
バンド固定部６４は、バンド部６２の一方側端部に連なっている。また、バンド固定部６４は、バンド部６２の他方側端部を固定可能に形成されている。
【００２５】
バンド部６２とバンド固定部６４とは、例えば、以下のような構成で固定することができる。
【００２６】
即ち、バンド部６２のいずれかの主面にその長手方向に沿って間隔をあけて複数の凹部が形成される。また、バンド固定部６４にバンド部６２を挿通可能な挿通孔６６が形成されるとともに、当該挿通孔６６の内周面にバンド部６２の凹部に係止可能な係止突起が突設される。挿通孔６６に挿通されたバンド部６２の複数の凹部にバンド固定部６４の係止突起を選択的に係止させることで、バンド部６２とバンド固定部６４とが固定される。
【００２７】
ここでは、挿通孔６６の軸方向とバンド部６２の延在方向がほぼ平行になるように形成されている。このため、図４又は図５に示されるようにバンド部６２の基端部と挿通孔６６を通過した先端部とがほぼ平行になり、後述するプロテクタ２０の外側ガイド部３２と内側ガイド部３６との間に位置することができる。
【００２８】
もっとも、挿通孔６６の軸方向とバンド部６２の延在方向がほぼ平行になるように形成されていることは必須ではない。例えば、挿通孔６６の軸方向とバンド部６２の延在方向が直交することも考えられる。この場合、バンド部６２の基端部がプロテクタ２０の外側ガイド部３２と内側ガイド部３６との間に位置した状態で、バンド部６２のうち挿通孔６６を通過した先端部は外部に露出する。
【００２９】
なお、バンド部６２とバンド固定部６４との固定方法は上記したものに限られない。例えば、バンド部６２の両側面に複数の凹部が設けられ、挿通孔６６の内周面に上記凹部に嵌る係止突起が突設された構成であってもよい。
【００３０】
プロテクタ２０は、本体部２２と、固定部３０と、外側ガイド部３２とを備える。さらにここでは、プロテクタ２０は、蓋部５０と、内側ガイド部３６とを備える。
【００３１】
本体部２２は、電線１２の長手方向中間部分を収容可能に形成されている。具体的には、ここでは、本体部２２は、底部２４と、側壁部２６とを含む。
【００３２】
底部２４は、電線１２の配設経路に沿った形状に形成される。ここでは底部２４は、その長手方向に沿って同一面内で一部が曲がった形状、つまり２次元状に形成されている。もっとも、底部２４は、その長手方向に沿って直線状の１次元状又は異なる面に沿う３次元状に形成される場合もあり得る。
【００３３】
側壁部２６は、底部２４に立設されている。ここでは、一対の側壁部２６が、底部２４の幅方向端部から、底部２４の幅方向に直交する方向に立設されている。もっとも、側壁部２６の立設方向は、底部２４の幅方向に対して斜めに延びる方向であることもあり得る。
【００３４】
なお、ここでは底部２４が、その幅方向中央が凹むように、より詳細には、半弧状に形成されているため、本体部２２は正面視Ｕ字状に形成されている。もっとも、本体部２２は正面視Ｕ字状に形成されていることは必須ではなく、本体部２２は、正面視角形状に形成されていてもよい。
【００３５】
また、ここでは、側壁部２６には後述する蓋部５０の突起５２が嵌る一対の凹部２８が複数組設けられている。当該凹部２８は、側壁部２６から外側に電線１２の長手方向に間隔をあけて突出する一対の延出片２８ａと、一対の延出片２８ａ同士を結ぶ連結片２８ｂと、側壁部２６とで囲まれた貫通孔状に設けられている。この一対の凹部２８が本体部２２の長手方向端部にも設けられている。そして、本体部２２の長手方向端部に設けられた一対の凹部２８のうち一方の凹部２８を構成する延出片２８ａであって本体部２２の縁部に設けられている延出片２８ａが側壁部２６から底部２４にかけて延びている。側壁部２６から底部２４にかけて延びる延出片２８ａから後述する外側ガイド部３２が延びている。
【００３６】
固定部３０は、本体部２２の端部に設けられている。固定部３０は、電線１２と共にバンド部６２に巻回されることで、電線１２を固定可能である。
【００３７】
具体的には、固定部３０は、底部２４の周方向に沿った一部が電線１２の長手方向に延出する態様で形成されている。また、固定部３０は、その内面が底部２４の内面と滑らかに連続するように設けられている。ここでは、底部２４が半弧状に形成されているため、固定部３０も、その内面が正面視弧状に形成されている。
【００３８】
また、ここでは、固定部３０はその長手方向及び周方向に沿ってほぼ一定の厚みを有するように形成されている。もっとも、固定部３０の厚み寸法は、電線１２と共に結束部材６０に巻回された状態で、変形しないような剛性を有するように設定されていればよい。同様に固定部３０の幅寸法も電線１２と共に結束部材６０に巻回された状態で、変形しないような剛性を有するように設定されているとよい。
【００３９】
外側ガイド部３２は、本体部２２のうち固定部３０が設けられている端部に設けられている。外側ガイド部３２は、バンド部６２を固定部３０の径方向外側にガイド可能となるように、その内周面が電線１２の周方向の少なくとも一部に沿うように曲がった態様で形成されている。
【００４０】
具体的には、外側ガイド部３２は、一方の側壁部２６（側壁部２６の外側に位置する延出片２８ａ）から底部２４にかけての一部が電線１２の長手方向に延出する態様で形成されている。この際に、ここでは、外側ガイド部３２の内面は周方向に４分の１周分形成されている。また、外側ガイド部３２は、周方向に沿ってのほぼ一定の厚みを有するように形成されている。このため、外側ガイド部３２の外面は自身の内面に沿い、外側ガイド部３２は、正面視４分の１弧状に形成されている。つまり、電線１２の周方向に沿った外側ガイド部３２の一端側の延在方向と他端側の延在方向とが直交している。
【００４１】
もっとも、外側ガイド部３２が電線１２の周方向に４分の１周分形成されていることは必須ではない。例えば、外側ガイド部３２が電線１２の周方向に６分の１周分又は８分の１周分形成されるなど、４分の１周より短くてもよい。また、例えば、外側ガイド部３２が電線１２の周方向に２分の１周分又は３分の１周分形成されるなど、４分の１周より長くてもよい。外側ガイド部３２の周長が短く設定されていると、結束部材６０と電線１２との接触面積が増加し、より強固に電線１２を固定することができる。また、外側ガイド部３２の周長が長く設定されていると、外側ガイド部３２によって結束部材６０がガイドされる量が増加し、結束部材６０の巻回作業がより容易になる。つまり、外側ガイド部３２が電線１２の周方向に４分の１周分形成されていると、電線１２と結束部材６０との接触面積の減少をなるべく抑えつつ、外側ガイド部３２により結束部材６０をガイドする量を増やすことができる。
【００４２】
また、ここでは、外側ガイド部３２の外面は、一部で本体部２２の外面と連続するように形成されている。このため、プロテクタ２０の出っ張る量が抑えられている。
【００４３】
内側ガイド部３６は、外側ガイド部３２よりも径方向内側で外側ガイド部３２と一部で対向するように設けられている。
【００４４】
具体的には、内側ガイド部３６の外面は、外側ガイド部３２の内面と電線１２の径方向に間隔をあけた状態で、外側ガイド部３２の内面に沿うように形成されている。ここで、電線１２の径方向に沿った内側ガイド部３６の外面と外側ガイド部３２の内面との間隔は、バンド部６２の厚み寸法と同じかそれよりも大きく（ここでは、２倍より若干大きく）設定されている。これにより、内側ガイド部３６と外側ガイド部３２との間にバンド部６２を挿通することができる。
【００４５】
さらにここでは、内側ガイド部３６の内面は、固定部３０の内面を電線１２の周方向に沿って延長させた面と滑らかに連続するように形成されている。これにより、固定部３０に電線１２を接触させた状態で電線１２と固定部３０との周囲に結束部材６０を巻回させる際に、内側ガイド部３６も電線１２に接触すると共にその周囲に結束部材６０が巻回される。つまり、内側ガイド部３６は、固定部３０に係る力の一部を負担し、固定部３０が電線１２を固定するのを補助している。
【００４６】
また、ここでは、内側ガイド部３６の周方向端部であって、固定部３０側とは反対側の端部は、外側ガイド部３２の周方向端部と側壁部２６の高さ方向に沿った位置が同じに設定されている。これにより、内側ガイド部３６の端部と外側ガイド部３２の端部とでバンド部６２を挿通可能な開口が形成された面が構成されている。図４又は図５に示されるように、この面上にバンド固定部６４が位置することで、バンド固定部６４の位置ずれを抑制することができる。この際に、内側ガイド部３６と外側ガイド部３２との間隔がバンド部６２の厚みの２倍以上に設定されていると、バンド固定部６４で固定されたバンド部６２の先端も内側ガイド部３６と外側ガイド部３２との間に収容することができる。これにより、バンド固定部６４が外側に出っ張ることを抑えることができる。
【００４７】
また、ここでは、電線１２の長手方向外側縁部で、固定部３０と、外側ガイド部３２と、内側ガイド部３６とを結ぶ外壁部４０が設けられている。これにより、固定部３０、外側ガイド部３２及び内側ガイド部３６の強度をそれぞれ高めることができる。さらに、本体部２２と外壁部４０との間隔はバンド部６２の幅寸法と同じかそれよりも大きく（ここでは、若干大きく）設定されている。これにより開口から外側ガイド部３２と内側ガイド部３６との間に挿入されたバンド部６２が電線１２の長手方向に沿って位置ずれすることを抑制することができる。
【００４８】
ここで、本体部２２は、一対の金型を一方と他方とに抜く方法、いわゆる上下抜きで形成されている。つまり、固定部３０、外側ガイド部３２及び内側ガイド部３６も上下抜きで形成されている。固定部３０、外側ガイド部３２及び内側ガイド部３６を上下抜きで形成することを可能にする構成について以下で説明する。
【００４９】
即ち、ある１つの方向から見て、固定部３０と外側ガイド部３２とが離れた位置に形成されている。また、当該１つの方向から見て内側ガイド部３６と外側ガイド部３２とが重なっている部分において、内側ガイド部３６に電線１２の周方向に沿った間隙３８が設けられるとともに、外側ガイド部３２のうち間隙３８に対向する部分の幅寸法が間隙３８の幅以下に設定されている。これにより当該１つの方向に沿って本体部２２を上下抜きすることができる。
【００５０】
より具体的には、ここでは、底部２４の幅方向に直交する方向、つまり、側壁部２６の延在方向に沿った方向が本体部２２を上下抜きする方向となるように設定されている。以降、側壁部２６の延在方向を上下方向と呼ぶ。
【００５１】
つまり、ここでは、上下方向から見て、固定部３０と外側ガイド部３２とが重ならないように離れた位置に形成されている。さらに、ここでは、上下方向から見て内側ガイド部３６と外側ガイド部３２とが重なっている部分において、内側ガイド部３６に電線１２の周方向に沿った間隙３８が設けられるとともに、外側ガイド部３２のうち間隙３８に対向する部分の幅寸法が間隙３８の幅以下に設定されている。
【００５２】
より詳細には、内側ガイド部３６のうち電線１２の長手方向中間部分に周方向に沿った間隙３８が設けられている。もっとも、内側ガイド部３６のうち電線１２の長手方向のどちらかの端部、つまり、内側ガイド部３６と本体部２２との連結部分又は内側ガイド部３６と外壁部４０との連結部分に間隙３８が設けられていてもよい。
【００５３】
そして、外側ガイド部３２のうち上下方向から見て上記間隙３８に対向する部分（以降、対向部３３と称する）の幅が間隙３８の幅寸法以下（ここでは、間隙３８の幅寸法の半分程度）に設定されている。別の見方をすると、上下方向から見て、外側ガイド部３２のうち間隙３８が設けられた後に残る内側ガイド部３６と重なる部分に貫通孔３４が形成されている。つまり、ここでは、外側ガイド部３２のうち本体部２２と連なる部分及び外壁部４０と連なる部分の一部に貫通孔３４が形成されている。これにより、上下方向から見て、外側ガイド部３２と内側ガイド部３６とが重ならないように形成されている。
【００５４】
この際に、対向部３３の幅は、バンド部６２をガイドするのに十分な剛性を有するように設定されているとよい。そして、間隙３８の幅寸法は、対向部３３の幅寸法と同じかそれよりも大きく設定されていればよい。この際に、間隙３８の幅寸法は、バンド部６２の幅寸法よりも小さく設定されていることが好ましい。間隙３８の幅寸法がバンド部６２の幅寸法よりも小さく設定されていると、内側ガイド部３６の外周にバンド部６２を巻回した際に、バンド部６２が間隙３８から脱落することを抑制することができる。
【００５５】
また、ここでは、内側ガイド部３６と固定部３０とは周方向に間隔をあけて形成されている。このことと、内側ガイド部３６の外面及び内面が、固定部３０の外面及び内面を電線１２の周方向に沿って延長させた面と滑らかに連続するように形成されていることにより、ここでは、内側ガイド部３６と固定部３０とは、本体部２２から延びると共に正面視弧状に形成された延出片がその周方向中間部分にスリットが形成され、隔てられたような形状に形成されている。
【００５６】
そして、上下方向から見て、内側ガイド部３６と固定部３０との間隔は、外側ガイド部３２と固定部３０との間隔よりも大きく設定されている。このため、外側ガイド部３２は、固定部３０側の端部で本体部２２から外壁部４０まで一体となって連なるように形成されている。これにより、外側ガイド部３２の強度を増すことができる。
【００５７】
蓋部５０は、本体部２２の開口を塞ぐように設けられている。具体的には、蓋部５０は、底部２４に沿った形状に形成され、その幅方向の寸法は一対の側壁部２６の間隔と同程度に設定されている。また、蓋部５０には、その延在方向に沿って間隔をあけて一対の突起５２が複数組設けられている。一対の突起５２は、蓋部５０の幅方向両端部から、底部２４側に突出するように設けられている。この突起５２を上述した本体部２２の凹部２８に嵌めることで、蓋部５０が本体部２２に固定される。
【００５８】
もっとも、プロテクタ２０が蓋部５０を備えることは必須ではなく、蓋部５０を備えていないことも考えられる。また、プロテクタ２０が蓋部５０を備える場合であっても、蓋部５０に突起５２が設けられるとともに、本体部２２に突起５２が嵌まる凹部２８が形成されていることは必須ではない。蓋部５０と本体部２２とは、例えば、テープ巻等で固定される場合もあり得る。
【００５９】
＜動作＞
次に、プロテクタ２０に電線１２を収容すると共に結束部材６０によりプロテクタ２０と電線１２とを固定する動作について説明する。
【００６０】
まずは、プロテクタ２０の蓋部５０を開けて、本体部２２に電線１２の長手方向中間部分を収容する。この際に、電線１２の長手方向に対して所定の位置にプロテクタ２０が位置するようにする。
【００６１】
本体部２２に電線１２が収容されたら、結束部材６０のバンド部６２をその先端から外側ガイド部３２と内側ガイド部３６との間に挿入していく。この際に、バンド部６２がその長手方向に真っ直ぐに延在していること、及び、外側ガイド部３２の内周面が電線１２の周方向に曲がっていることにより、バンド部６２の先端縁部はいずれ外側ガイド部３２の内周面に当接する。そして、バンド部６２の先端縁部が外側ガイド部３２の内周面に当接した状態で、さらに作業者がバンド部６２を挿入していくと、バンド部６２の先端縁部が外側ガイド部３２の内周面に沿って電線１２の周方向に自動的に移動していき、やがて固定部３０の径方向外側から底部２４の幅方向に沿って固定部３０よりも外側に出ていく。
【００６２】
バンド部６２のうち上下方向から見て固定部３０よりも外側に位置する部分の長さが電線１２のうち残りの部分の周囲全体に巻回可能な程度（ここでは、電線１２の周長の４分の３程度）を超えて、バンド固定部６４が外側ガイド部３２の端部に達するまでの間に、作業者がバンド部６２を電線１２の周囲に巻回し、その先端をバンド固定部６４の挿通孔６６に通してバンド部６２をバンド固定部６４に固定する。この際に、バンド固定部６４を電線１２の周方向に移動させることができる程度に余裕を残しておくとよい。
【００６３】
最後に、バンド固定部６４を外側ガイド部３２と内側ガイド部３６との端部の面に接触させるとともに、バンド固定部６４が位置ずれしないようにきつく締めることで、プロテクタ２０に対して電線１２が固定される。
【００６４】
実施形態に係る電線モジュール１０及びプロテクタ２０によると、本体部２２のうち固定部３０が設けられている端部に設けられ、バンド部６２を固定部３０の径方向外側にガイド可能となるように、その内周面が電線１２の周方向の少なくとも一部に沿うように曲がった態様で形成された外側ガイド部３２を備えるため、バンド部６２を外側ガイド部３２の内周面に沿わせて巻回することによって、バンド部６２を電線１２の周囲に容易に巻回し固定できる。
【００６５】
また、外側ガイド部３２よりも径方向内側で外側ガイド部３２と対向するように設けられた内側ガイド部３６をさらに備えるため、バンド部６２の先端が外側ガイド部３２と内側ガイド部３６との間に入った際に、バンド部６２が径方向に動きにくくなることによってバンド部６２の周方向の動きが安定し、バンド部６２を電線１２の周囲に容易に巻回できる。
【００６６】
また、上下方向から見て、固定部３０と外側ガイド部３２とが離れた位置に形成されていると共に、当該上下方向から見て内側ガイド部３６と外側ガイド部３２とが重なっている部分において、内側ガイド部３６に電線１２の周方向に沿った間隙３８が設けられるとともに、外側ガイド部３２の間隙３８に対向する部分の幅寸法が間隙３８の幅以下に設定されているため、金型を用いてプロテクタ２０を製造する際に、１対の金型を上下方向に抜くことで製造可能になることによって、プロテクタ２０の製造が容易となる。
【００６７】
また、外側ガイド部３２が周方向に４分の１周分形成されているため、バンド部６２を外側ガイド部３２に沿わせることで、自動的に、電線１２に対して４分の１周巻くことができることによって、バンド部６２を電線１２の周囲に容易に巻回できる。
【００６８】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００６９】
１０  電線モジュール
１２  電線
２０  プロテクタ
２２  本体部
２４  底部
２６  側壁部
３０  固定部
３２  外側ガイド部
３４  貫通孔
３６  内側ガイド部
３８  間隙
４０  外壁部
５０  蓋部
６０  結束部材
６２  バンド部
６４  バンド固定部
６６  挿通孔
【図１】
0006287701.tif 000002
【図２】
0006287701.tif 000003
【図３】
0006287701.tif 000004
【図４】
0006287701.tif 000005
【図５】
0006287701.tif 000006